(57)【特許請求の範囲】
【請求項１】
上下動により開閉自在な障子と、障子に釣り合い力を付与するバランサーと、障子の下面に設けてバランサーが障子に付与する釣り合い力を調整する調整器とを備え、バラサンサー及び調整器は縦枠の障子案内溝内に配置してあり、調整器は、下面に設けた調整部と、調整部から枠の内周側に突出してありバランサーが障子に付与している釣り合い力を解除する解除レバーと、回り止め部品とを有し、解除レバーは、垂直軸回りに回動するものであり、回り止め部品は、解除レバーに枠の内周側から嵌め込んで取り付けてあり、回り止め部品が解除レバーと共に回動しようとすると縦枠の障子案内溝の開口縁に当接することで解除レバーの回動を規制することを特徴とする建具。
【発明の詳細な説明】
【技術分野】
【０００１】
本発明は、上げ下げ窓やドア等の建具に関する。
【背景技術】
【０００２】
上げ下げ窓（建具）において、障子に、釣り合い力を付与するバランサーと、バランサーが障子に付与する釣り合い力を調整する調整器を設けることが公知である。この種の建具では、バラサンサー及び調整器は縦枠の障子案内溝内に配置してあり且つ調整器は障子下面に設けてあり、建具の施工後に調整器を操作するときには、調整器の下面に設けた解除レバーを垂直軸回りに回動して、バランサーが障子に付与する釣り合い力を一度解除した後、再度釣り合い力を設定している。  
【先行技術文献】
【特許文献】
【０００３】
【特許文献１】なし
【発明の概要】
【発明が解決しようとする課題】
【０００４】
しかし、調整器の解除レバーは、調整器の下面に露出してあるから、誤操作により、バランサーが障子に付与している釣り合い力を解除するおそれがあった。
【０００５】
そこで、本発明は、解除レバーの誤操作を防止できる建具の提供を目的とする。
【課題を解決するための手段】
【０００６】
請求項１に記載の発明は、上下動により開閉自在な障子と、障子に釣り合い力を付与するバランサーと、障子の下面に設けてバランサーが障子に付与する釣り合い力を調整する調整器とを備え、バラサンサー及び調整器は縦枠の障子案内溝内に配置してあり、調整器は、下面に設けた調整部と、調整部から枠の内周側に突出してありバランサーが障子に付与している釣り合い力を解除する解除レバーと、回り止め部品とを有し、解除レバーは、垂直軸回りに回動するものであり、回り止め部品は、解除レバーに枠の内周側から嵌め込んで取り付けてあり、回り止め部品が解除レバーと共に回動しようとすると縦枠の障子案内溝の開口縁に当接することで解除レバーの回動を規制することを特徴とする建具である。
【発明の効果】
【０００７】
請求項１に記載の発明によれば、解除レバーには回り止め部品が取り付けてあり、回り止め部品が解除レバーと共に回動しようとすると、縦枠の案内溝の開口縁に当接して解除レバーの回動を規制するので、解除レバーの誤操作を防止できる。  
尚、回り止め部品を解除レバーから外すことにより、回動規制が解除されて解除レバーの正当な操作ができる。
【図面の簡単な説明】
【０００８】
【図１】本発明の実施の形態にかかる建具の図であり、可動障子、バランサー及び調整器を抜き出して示す正面図である。
【図２】図１に示す可動障子の右側下面及びその周囲部分を下から見た斜視図であり、（ａ）は回り止め部品を取り付けた状態であり、（ｂ）は回り止め部品を外した状態である。
【図３】図１に示すＥ−Ｅ断面図である。
【図４】図２に示す回り止め部品の斜視図であり、（ａ）は正面斜め上から見た図、（ｂ）は裏面斜め下から見た図、（ｃ）は側面斜め下から見た図、（ｄ）は（ｃ）に示すＡ−Ａ断面図である。
【図５】図１に示す調整器の図であり、（ａ）は正面図、（ｂ）は平面図、（ｃ）は底面図、（ｄ）は（ｂ）に示すＢ−Ｂ断面図である。
【図６】本発明の実施の形態にかかる建具の縦断面図であり、（ａ）は全閉状態、（ｂ）は全開状態を示す図である。
【図７】本発明の実施の形態にかかる建具の図であり、図６に示すＣ−Ｃ断面図である。
【発明を実施するための形態】
【０００９】
以下に、添付図面を参照して本発明の実施の形態を説明する。
本発明の実施の形態にかかる建具１は、図１、図６及び図７に示すように、上げ下げ窓であり、上枠３、下枠５、左右の縦枠７を枠組みした枠９と、外障子１１と、内障子１３とを備えており、外障子１１は固定してあり、内障子（障子）１３は上下動により開閉自在な可動障子である。  
図３及び図７に示すように、左右の各縦枠７には内障子１３の上下動を案内する障子案内溝１５が形成された案内部材１７が固定してある。障子案内溝１５は、横断面がコ字形状を成し、内障子１３側を開口しており、障子案内溝１５の溝の開口縁１５ａは、室内側及び室外側から互いに開口を狭めるように突出して形成されている。  
図１に示すように、各縦枠７には、内障子１３に釣り合い力を付与するバランサー１９と、内障子１３の下面に設けた調整器２１とが配置されている。  
バランサー１９は、捻りばねと、捻りばねを巻き締め・巻き戻しする螺旋杆２３とを備えており、螺旋杆２３が上下動することで捻りばねを巻き締め又は巻き戻しするようになっており、内障子１３に所定の釣り合い力を付与するものである。このバランサー１９は、釣り合い力を解除した後に螺旋杆２３を所定量回転して回転した位置を固定することで、釣り合い力を設定できるようになっている。  
【００１０】
図５に示すように、調整器２１は、螺旋杆２３に連結したフック２５と、フック２５が固定された軸部材２７と、軸部材２７を収納したケース部２８と、軸部材２７を回転調整してその位置を保持する調整部２９と、調整部２９で調整した位置を解除する解除レバー３１と、障子取付部３０を備えている。  
調整部２９は下面にドライバーの係合溝２９ａが形成してあり、下面側からドライバーを操作して釣り合い力を調整するようになっている。  
図３に示すように、解除レバー３１は、障子案内溝１５からその開口縁１５ａを超えて、内周側に突設してあり、解除レバー３１は垂直軸Ｙ（図５（ｄ）参照）回りを矢印３２方向に回動することで調整部２９の固定位置を解除するようになっている。この解除レバー３１には回り止め部品３３が装着されている。  
【００１１】
図１に示すように、回り止め部品３３は、枠９の内周側から解除レバー３１に嵌め込んであり、装着した回り止め部品３３は、図３に示すように、障子案内溝１５の開口縁１５ａに対向して位置している。  
回り止め部品３３は樹脂材製であり、図４に示すように、解除レバー３１の挿入穴３５が形成された外周側壁３３ａと、内周側壁３３ｂと、正面壁（室内側壁）３３ｃ及び裏面壁（室外側壁）３３ｄと、上面壁３３ｅとで略直方体形状に形成してあり、直方体の内部及び下側が空間になっている。上面壁３３ｅには弾性変形可能な係止突起３７が先端を上方に向けて傾斜してある。この係止突起３７は図１に示すように、調整器２１のケース部２８の下面に形成された段部２８ａ（図５参照）に係止してある。図１及び図３に示すように、内周側壁３３ｂは、回り止め部品３３を解除レバー３１に装着したときに、解除レバー３１の内周側端との間に隙間（治具係止部）３９を形成しており、この隙間３９は回り止め部品３３を外すときにドライバー等の治具を挿入する隙間であり、治具を内周側壁３３ｂに係合して回り止め部品３３を枠９の内周側へ引き抜き可能にしている。  
【００１２】
次に、本発明の実施の形態にかかる建具１の作用及び効果について説明する。建具１には、工場で、左右の縦枠７に各々バランサー１９を設置し、内障子１３の下面に調整器２１を取り付け、調整器２１を所定の釣り合い力に設定しておく。尚、図２及び図３に示すように、調整器２１は、そのケース部２８（図５参照）を縦枠７の障子案内溝１５内に配置しており、解除レバー３１は、障子案内溝１５内から開口縁１５ａを超えて枠９の内周側に突設してある。そして、調整器２１を所定の釣り合い力に設定後、回り止め部品３３は解除レバー３１に枠９の内周側から嵌め込んで、装着する。このとき、回り止め部品３３は、その外周側壁３３ａに形成された挿入穴３５に解除レバー３１の先端を挿入し、係止突起３７がケース部２８の段部２８ａに当接した位置で装着が完了する。尚、係止突起３７の係止位置で、内周側壁３３ｂと解除レバー３１の内周側端との間に隙間３９が形成されている。  
図２及び図３に示すように、解除レバー３１に回り止め部品３３が装着された状態では、回り止め部品３３の正面壁３３ｃと裏面壁３３ｄとが障子案内溝１５の開口縁１５ａに近接して位置する。したがって、回り止め部品３３は障子１３の下面に露出した状態にあるが、解除レバー３１を回り止め部品３３と共に回動しようとすると、回り止め部品３３が開口縁１５ａに当接することで解除レバー３１の回動を規制する。  
これにより、解除レバー３１の誤操作が防止できる。  
【００１３】
一方、内障子１３に付与する釣り合い力を調整する場合には、解除レバー３１を操作して付与されている釣り合い力を解除し、その後調整器２１の調整部２９を操作して再設定する必要がある。
この場合には、解除レバー３１に装着してある回り止め部品３３の下側から、隙間３９にドライバー等の治具の先端を挿入して内周側壁３３ｂに当てたまま枠の内周側に向けて引き抜く。これにより、回り止め部品３３を外すことができる。
その後、解除レバー３１を垂直軸Ｙ（図５（ｄ）参照）回りに回動することで、釣り合い力が解除され、調整部２９を治具で回転操作して所定の釣り合い力に再度設定する。
【００１４】
本発明の実施の形態にかかる建具１によれば、解除レバー３１には回り止め部品３３が取り付けてあり、回り止め部品３３が解除レバー３１と共に回動しようとすると、縦枠７の障子案内溝１５の開口縁１５ａに当接して解除レバー３１の回動を規制するので、解除レバー３１の誤操作を防止できる。  
【００１５】
回り止め部品３３は、解除レバー３１に装着した状態で、解除レバー３１の内周側端と内周側壁３３ｂとの間に隙間（治具係止部）３９を形成してあるから、この隙間３９にドライバー等の治具を挿入して回り止め部品３３を簡単に外すことができる。  
回り止め部品３３はその上面壁３３ｅを解除レバー３１の上に被せてあるので、回り止め部品３３が落下するのを防止できる。  
回り止め部品３３の上面壁３３ｅには、調整器２１のケース部２８の段部２８ａに係止して、回り止め部品３３が内周側に移動する規制しているので、手で簡単に外し難いから、誤操作により回り止め部品３３が外れるのを防止できる。  
【００１６】
本発明は、上述した実施の形態に限らず、本発明の要旨を逸脱しない範囲で種々変形可能である。
例えば、本発明にかかる建具１は、上げ下げ窓に限らず、ドア面に上下動により開閉自在な障子を設けたドアであってもよい。  
回り止め部品３３の治具係止部３９は、室内側壁や室外側壁に治具の係止溝、穴や突起を形成しても良いし、治具係止部３９の位置や形状は制限されない。  
また、回り止め部品３３は筒状にして装着するものであっても良いし、その形状は制限されない。
縦枠７に設けてある障子案内溝１５は、障子案内溝１５を形成した案内部材１７を縦枠７に取付けることに限らず、縦枠７に直接形成するものであっても良い。  
【符号の説明】
【００１７】
１    建具
７    縦枠
９    枠
１３  内障子（可動障子）
１５  障子案内溝
１５ａ  開口縁
１９  バランサー
２１  調整器
２９  調整部
３１  解除レバー
３３  回り止め部品
３９  隙間（治具係止部）
【図１】
0006280021.tif 000002
【図２】
0006280021.tif 000003
【図３】
0006280021.tif 000004
【図４】
0006280021.tif 000005
【図５】
0006280021.tif 000006
【図６】
0006280021.tif 000007
【図７】
0006280021.tif 000008